(57)【要約】【課題】施工を容易にするとともに、コンクリートブロックの植栽部の面積を広くする一方、植栽部を個々に分離することなく、連通することにより、前面のすべての空間を植物や小動物などの生物の最適な生息領域として、ブロック表面全体を植物で覆うことが可能であり、自然との調和を図り易い植栽コンクリートブロックを提供する。【解決手段】上方において離間するように傾斜角度を異にする前壁１０と中壁１１とこれらを連結する連結壁１３とで囲まれ、かつ上方が開放され、左右にも隣接する植栽コンクリ−トブロックの植栽部と連通し得る植栽部２０と、傾斜した中壁１１と傾斜した後壁１２に囲まれた土砂充填部２１と、その両端に、隣接する植栽コンクリートブロックとともに閉じたコンクリ−ト打設部を形成するように、開口した生コンクリート打設部２２とからなる。【選択図】  図１
2004257160.tif 000002
【特許請求の範囲】
【請求項１】
上方において離間するように傾斜角度を異にする前壁と後壁とこれらを連結する連結壁とで囲まれ、かつ開放された上方の、前壁寄り部を植栽部とした、コンクリ−トブロックの土砂充填部と、その両端部に、隣接する植栽コンクリートブロックとともに閉じた植栽部及びコンクリート打設部を形成するように、開口した前壁と中壁及び後壁を設けたことを特徴とする植栽コンクリートブロック。
【請求項２】
前記植栽コンクリートブロックにおける土砂充填部に中壁を設けて、後部の土砂充填部と前部の植栽部を分断し、分断された植栽部の前壁と両端部の開口された植栽部の前壁及び連結壁の中壁より前壁側を土砂充填部とコンクリートブロック打設部の中壁から分離可能となし、分離した連結壁の端部を中壁と取付用インサートとボルトを介して固定可能となしたことを特徴とする請求項１記載の植栽コンクリートブロック。
【発明の詳細な説明】
【０００１】
【発明の属する技術分野】
本発明は、緑化植物を植生することの可能な植栽コンクリートブロックに関するものである。
【０００２】
【従来の技術】
コンクリートブロックは、いかにも人工的な外観を有し、周囲の自然界から遊離するので、自然との調和を図り、自然環境になじみやすくするため、従来より緑化植物を植生した植栽コンクリートブロックが採用されており、例えば特許文献１では、植栽開口部と補強鉄筋挿入孔を設けた緑化コンクリートブロックが提案されている。
【０００３】
【特許文献１】
特開平８−１９９６０２号公報
【０００４】
しかし、この緑化コンクリートブロックでは、植栽部がブロックの中央のみであって、他の部分には植栽部がないので、コンクリート部分がかなり露出してしまい、コンクリートブロックの表面全体を植物で覆うことができなかった。また、補強鉄筋の挿入孔が小さいので、鉄筋の挿入および凝結モルタル等の投入が困難であるなどの施工面での欠点もあった。
【０００５】
【発明が解決しようとする課題】
本発明は、上記のような従来の欠点を改善して、施工を容易にするとともに、コンクリートブロックの植栽部の面積を広くする一方、植栽部を個々に分離することなく、連通することにより、前面の空間を植物や小動物などの生物の最適な生息領域とすることによって、自然との調和を図り易い植栽コンクリートブロックの提供を目的とするものである。
【０００６】
【課題を解決するための手段】
本発明は、かかる目的を達成するものであって、請求項１記載の発明は、上方において離間するように傾斜角度を異にする前壁と後壁とこれらを連結する連結壁とで囲まれ、かつ開放された上方の、前壁寄り部を植栽部とした、コンクリ−トブロックの土砂充填部と、その両端部に、隣接する植栽コンクリートブロックとともに閉じた植栽部及びコンクリート打設部を形成するように、開口した前壁と中壁及び後壁を設けたことを特徴とする植栽コンクリートブロックである。
【０００７】
請求項２記載の発明は、前記植栽コンクリートブロックにおける土砂充填部に中壁を設けて、後部の土砂充填部と前部の植栽部を分断し、分断された植栽部の前壁と両端部の開口された植栽部の前壁及び連結壁の中壁より前壁側を土砂充填部とコンクリートブロック打設部の中壁から分離可能となし、分離した連結壁の端部を中壁と取付用インサートとボルトを介して固定可能となしたことを特徴とする請求項１記載の植栽コンクリートブロックである。
【０００８】
【発明の実施の形態】
以下、図面に従って本発明の植栽コンクリートブロックについて詳述する。
【０００９】
図１〜８において、１は本発明の植栽コンクリートブロックであって、該植栽コンクリートブロック１は、前壁１０と後壁１２とこれらを連結する連結壁１３で囲まれた空間、及び両端部に開口した前壁、中壁、後壁とで形成されており、植栽部２０ａ、２０ｂと土砂充填部２１とコンクリート打設部２２を主として備えている。
【００１０】
土砂充填部２１は、上方において離間するように傾斜角度を異にする前壁１０と後壁１２とこれらを連結する連結壁１３とで囲まれて形成されており、図１〜４においては、特に、垂直の前壁１０と傾斜状の後壁１２とで断面が逆台形状となっており、上方において開放されていて、雨水を取り入れ易くしている。前壁１０には過剰の水分を除去するための水抜き孔１４が穿設されているとともに、連結壁１３には貫通孔１５が形成されており、隣接する植栽コンクリートブロック１の植栽部２０ａと連通して水分や肥料分の移動や小動物などの移動が可能で、植物の繁茂にも良好な影響を及ぼすことが可能である。なお、貫通孔１５の代わりに連結壁１３の上部を低くして連通可能とすることもできる。図１〜４においては、土砂充填部２１の前壁１０寄りに植栽部２０ａが形成されており、両端部（図においては上下端部）には隣接する植栽コンクリートブロックの同様の箇所と組み合わせることにより、それぞれ植栽部２０ｂを形成することができる。なお、中央部の植栽部２０は一個に限らず、複数個であっても良い。植栽部２０には各種の土砂を使用することができるが、現地発生土などの土砂が植物に適している場合には、これを使用することが有効利用としても最適である。
【００１１】
土砂充填部２１は、断面が逆台形状となっているため、後壁１２を揃えて上下に連接して施工すると、前壁寄りの植栽部２０ａが上に積載される、植栽ブロックから外れた開放部となり、両端部の開放した前壁１０と中壁１１及び連結壁１３とで構成される逆三角形状の植栽部２０ｂと同形状の植栽部となるため、連続した空間、傾斜を有する整然とした植栽壁を得る事ができる。
土砂充填部２１には、現地発生土などの土砂が充填され、強度の向上を図ることができるが、植栽部２０ｂと連通されている場合には植物の繁茂に好影響を及ぼすことが可能である。１６は、連結壁１３に形成した凹部であって、連結壁１３を部分的に薄くして施工の必要時にはこの部分を破壊して内外を連通させることが可能であり、例えば、土砂の充填を一緒にすることなどができる。
【００１２】
植栽部２０ｂは開口した垂直の前壁１０の端部と傾斜した中壁１１の端部と、連結壁１３に囲まれて形成されており、断面が逆三角形で、下方が鋭角に形成されるため、強度の高い構造となっている。
【００１３】
コンクリート打設部２２は、傾斜した中壁１１の端部と傾斜した後壁１２の端部と連結壁１３に囲まれて形成されており、中壁１１の端部と後壁１２の端部は開口しており、隣接する植栽コンクリートブロック１の同様の箇所とともに閉じたコンクリ−ト打設部２２を形成するようになっている。生コンクリートを充填する前に鉄筋を挿入するが、コンクリート打設部２２は予め開口しているので、鉄筋の挿入が容易である。
【００１４】
次に、図１〜２に示した植栽コンクリートブロック１の構築方法について図５〜６に従って詳述する。
先ず、図６に示すように、所定の位置に基礎３０を構築し、その上に植栽コンクリ−トブロック１を、図５に示すように、順次、隣接して据え付けて、一段目を形成した後、長尺の鉄筋をコンクリ−ト打設部２２に垂直状に挿入し、鉄筋の位置決めのためにインサート１７に位置決め鉄筋１８を取り付けて、この位置決め鉄筋１８に前記鉄筋を交差させて、位置決め、固定し、コンクリート打設部２２に生コンクリートを打設した後、土砂充填部２１と植栽部２０に現地発生土などの土砂を充填する。次いで、２段目の植栽コンクリートブロック１を一段目のブロックの上に順次、連続して据え付ける。この際、前記鉄筋を両端のコンクリート打設部２２に案内しながら据え付けて行く。以下、上記の操作を繰り返して所望段の植栽コンクリートブロック１の構築を完了して最後に植栽部２０ａ、２０ｂに植栽する。両端面の植栽部２０ｂと中央の植栽部２０ａとは連通しているので、植物に必要な水分等の均等配分が可能である。
【００１５】
次に、図７〜８に従って、他の実施例の植栽コンクリートブロック１ａについて説明するが、この場合においては、植栽部２０ｃは２０ｂ同様、図８に示すように、上方に行くにつれて前方に傾斜した前壁１０ａと反対方向に傾斜した中壁１１ａとで断面が逆三角形状となるように下方において合致して高強度とするとともに、上方において開放されていて、雨水を取り入れ易くしている。図７〜１０の実施例においても、特に図７に示すように、前壁１０ａの中央部に植栽部２０ｃが形成されており、両端部には隣接する植栽コンクリートブロック１ａの同様の箇所と組み合わせることにより、それぞれ植栽部２０ｂを形成することができる。なお、中央部の植栽部２０ｃは一個に限らず、複数個であっても良い。植栽部２０ｂ、２０ｃには植物に最適の土を使用することが望ましいが、現地発生土などの土砂を使用することも可能である。
【００１６】
前記植栽コンクリートブロック１ａにおける前壁１０ａとその連結壁１３ａとは、図９〜１０に示すように、分離植栽ブロック２３として、本体の中壁１１ａと後壁１２とから分離可能となされており、図７〜８に示すように、連結壁１３ａの端部を本体の中壁１１ａと取付用インサート２４とボルト２５を介して固定可能となしてあり、通常は施工現場において土砂の充填の前に固定する。このため、運搬や保管の際には両者は分離しているため、運搬や保管が簡易であって、しかも施工時においても簡単な操作で固定可能であり、必要に応じて生コンクリートの充填で固化、固定されるので、強度的には図１〜６の実施例と同様に優れたものである。なお、前壁１０ａは中壁１１ａに対して連結壁１３ａのみで固定されており、植栽部２０ｂ、２０ｃは左右に連通しており、しかも連結壁１３ａには貫通孔１５が形成されているため、水分や肥料分の移動や小動物などの移動が可能で、植物の繁茂にも良好な影響を及ぼすことが可能である。なお、貫通孔１５の代わりに連結壁１３ａの上部を低くして連通可能とすることもできる。
【００１７】
土砂充填部２１ａとコンクリート打設部２２は、図１〜５の実施例とほぼ同様である。
【００１８】
次に、この実施例の植栽コンクリートブロック１ａの構築方法について詳述する。
先ず、図１１のように、所定の位置に基礎３０を構築し、その上に植栽コンクリ−トブロック１ａの本体を順次、隣接して据え付けて、一段目を形成した後、図７〜８に示すように、分離植栽ブロック２３を取付用インサート２４とボルト２５を介して本体部に固定し、土砂充填部２１ａと植栽部２０ｂ，２０ｃに土砂を充填する。特に強度が必要な場合は、長尺の鉄筋をコンクリ−ト打設部２２に垂直状に挿入し、鉄筋の位置決めのためにインサートに位置決め鉄筋を取り付けて、この位置決め鉄筋に前記鉄筋を交差させて、位置を決めて固定し、コンクリート打設部２２に生コンクリートを打設した後、土砂充填部２１ａと植栽部２０ｂ，２０ｃに土砂を充填する。次いで、２段目の植栽コンクリートブロック１ａ及び分離植栽ブロック２３を，一段目のブロックの上に順次、連続して据え付ける。この際、前記鉄筋を両端のコンクリート打設部２２に案内しながら据え付けて行く。以下、上記の操作を繰り返して所望段の植栽コンクリートブロック１ａの構築を完了して最後に植栽部２０ｂ、２０ｃに植栽する。両端面の植栽部２０ｂと中央の植栽部２０ｃとは連通しているので、植物に必要な水分の供給が可能である。なお、土砂充填部２１ａには、強度を向上させる必要がある場合には、鉄筋の挿入や生コンクリートの充填をすることが可能である。
また、図１１に示すように高さのある壁面において、下部は植栽部を設けた施工をなし、上部は分離植栽ブロック２３を取り付けることなく、植栽部の無い壁面とする組み合わせ施工も可能である。
【００１９】
【発明の効果】
以上の説明から明らかなように、本発明の植栽コンクリートブロックは、コンクリート打設部が端部にあり、しかも広いので、鉄筋の挿入及び生コンクリートの打設が容易であり、コンクリート打設部は鉄筋の挿入及び生コンクリートの打設が完了すると、鉄筋コンクリート製の柱状になるので、ブロック全体が一体化され、強固な法面になり、護岸用や山の土砂の落下防止用などの各種の広範囲な用途としての優れた機能を有するのみならず、さらに、植栽部はブロックの全前面にあるので、ブロック表面全体を植物で覆うことが可能であり、ブロック前面の空間を植物や小動物などの生物の最適な生息空間とすることにより、植物を繁茂させ、自然に近い景観を保持することができるとともに、鳥類などの生物の餌を供給することができ、自然との一層の調和を図ることを可能とするものである。
【図面の簡単な説明】
【図１】本発明の植栽コンクリートブロックの一実施例の平面図である。
【図２】図１に示した植栽コンクリートブロックの側面図である。
【図３】図２に示した植栽コンクリートブロックのＢ−Ｂ線断面図である。
【図４】図１に示した植栽コンクリートブロックのＡ−Ａ線断面図である。
【図５】図１に示した植栽コンクリートブロックの施工の平面図である。
【図６】図１に示した植栽コンクリートブロックの施工の側面図である。
【図７】本発明の植栽コンクリートブロックの他の実施例の平面図である。
【図８】図７に示した植栽コンクリートブロックの側面図である。
【図９】図７に示した植栽コンクリートブロックの植栽ブロックの平面図である。
【図１０】図９に示した植栽ブロックの側面図である。
【図１１】図７に示した植栽コンクリートブロックの施工の側面図である。
【符号の説明】
１    植栽コンクリートブロック
１ａ  植栽コンクリートブロック
１０  前壁
１０ａ  前壁
１１  中壁
１１ａ  中壁
１２  後壁
１３  連結壁
１３ａ  連結壁
１４  水抜き孔
１５  貫通孔
１６  凹部
１７  インサート
１８  位置決め鉄筋
２０ａ  植栽部
２０ｂ  植栽部
２０ｃ  植栽部
２１  土砂充填部
２１ａ  土砂充填部
２２  コンクリート打設部
２３  分離植栽ブロック
２４  インサート
２５  ボルト
【図１】
2004257160.tif 000003
【図２】
2004257160.tif 000004
【図３】
2004257160.tif 000005
【図４】
2004257160.tif 000006
【図５】
2004257160.tif 000007
【図６】
2004257160.tif 000008
【図７】
2004257160.tif 000009
【図８】
2004257160.tif 000010
【図９】
2004257160.tif 000011
【図１０】
2004257160.tif 000012
【図１１】
2004257160.tif 000013